(57)【要約】      （修正有）【課題】乾燥運転中に回転ドラム内の衣類を磨耗させることなく、衣類の乾き度合いおよび容量を判定すること。【解決手段】本体１内に回転自在に設けられた回転ドラム２と、回転ドラム２を駆動するドラム駆動モータ３と、回転ドラム２の後方から前方へ吹き出す循環風吹出口と、衣類等の乾燥対象を出し入れする開口部４を開閉自在にするドラム開閉板５と、ドラム開閉板５の下部かつ回転ドラム２側表面に設けられた電極８と、電極８に接続された静電容量検知手段と、静電容量検知手段からの検知信号を演算する演算手段１６とを備えたものである。【選択図】図１
2015000095.tif 000002
【特許請求の範囲】
【請求項１】
本体内に回転自在に設けられ接地としての回転ドラムと、
前記回転ドラムを駆動するドラム駆動モータと、
前記回転ドラムの後方から前方へ吹き出す循環風吹出口と、
衣類等の乾燥対象を出し入れする開口部を開閉自在にするドラム開閉板と、
前記ドラム開閉板の下部かつ前記回転ドラム側表面に設けられた電極と、
前記第２の電極に接続された静電容量検知手段と、
前記静電容量検知手段からの検知信号を演算する演算手段とを備えた衣類乾燥機。
【請求項２】
演算手段は、回転ドラム内の衣類が電極に近接した場合、電極と接地の間に発生する静電容量を静電容量検知手段により検知することにより、前記回転ドラム内の衣類の乾き度合いを検知する請求項１記載の衣類乾燥機。
【請求項３】
演算手段は、回転ドラム内の衣類が単位時間あたりに電極に近接する回数を演算することにより、前記回転ドラム内の衣類の容量を判定する請求項１記載の衣類乾燥機。
【請求項４】
演算手段は、回転ドラム内の衣類が単位時間あたりに電極に近接する回数が多い場合、前記回転ドラム内の衣類の容量を大容量と判定する請求項３記載の衣類乾燥機。
【請求項５】
演算手段は、回転ドラム内の衣類が単位時間あたりに電極に近接する回数が少ない場合、前記回転ドラム内の衣類の容量を小容量と判定する請求項３記載の衣類乾燥機。
【発明の詳細な説明】
【技術分野】
【０００１】
本発明は、回転ドラム内で衣類等を乾燥させる衣類乾燥機に関するものである。
【背景技術】
【０００２】
従来の衣類乾燥機（例えば、特許文献１の先行事例参照）は、図５に示すように、１０１は本体で、この本体１０１内にはバネ１０２によって支持された水槽１０３と、前面を開口し後面に回転軸１０４を備え側面に通水孔１０５を設けたドラム１０６を設けている。
【０００３】
また前記回転軸１０４は、水槽１０３の後面に設けた軸受け１０７によって支持されている。回転軸１０４端部には、洗濯モータ１０８の回転をベルト１０９によって伝達されるプーリ１１０を取り付けている。
【０００４】
１１１は蓋１１２に取り付けた電極で、前記ドラム１０６が他極となっており電極１１１とドラム１０６との間で電位差を生じるようになっている。１１３は、これらの電位差を検知し適切な乾燥状態で乾燥行程を終えるよう制御する制御部である。１１４は送風用の送風ファンで、ヒータ１１５・水槽１０３・熱交換器１１６・ダクト１１７とともに一連の温風循環経路を構成している。また水槽１０３前面には本体１０１との間に水密性を保持するベローズ１１８を備え、前記テーパ状の蓋１１２と嵌合するようになっている。なお１１９は水槽１０３と本体１０１との間に設けたダンパーで、洗濯中の水槽１０３の振動が本体１０１に伝達されることを防止している。
【０００５】
以上の構成で、洗濯・すすぎ・脱水・乾燥を一連の行程として実行するものである。この乾燥行程の終了は、電極１１１とドラム１０６との間の電位差が所定値以下に達したことを検知して行っているものである。つまり、ドラム１０６内の衣類が湿っていると、衣類を介して電極１１１とドラム１０６間の電位差は所定値以上を示すものである。乾燥が進んで衣類に含まれている水分が少なくなるにつれて、この電位差は減少するものである。
【先行技術文献】
【特許文献】
【０００６】
【特許文献１】特開平６−８６８９７号公報
【発明の概要】
【発明が解決しようとする課題】
【０００７】
しかしながら、前記従来の衣類乾燥機は、衣類乾燥機の開閉蓋、つまり、ドラム開閉板全面に電極が設けられており、回転ドラム内への循環風吹出口が本体前方に、かつ電極が本体前方に設けられているため、回転ドラム内の衣類が小容量の場合、回転ドラム内の衣類が電極に近接しにくいという課題があった。
【課題を解決するための手段】
【０００８】
前記従来の課題を解決するために、本発明の衣類乾燥機は、本体内に回転自在に設けられ接地としての回転ドラムと、前記回転ドラムを駆動するドラム駆動モータと、前記回転ドラムの後方から前方へ吹き出す循環風吹出口と、衣類等の乾燥対象を出し入れする開口部を開閉自在にするドラム開閉板と、前記ドラム開閉板の下部かつ前記回転ドラム側表面に設けられた電極と、前記第２の電極に接続された静電容量検知手段と、前記静電容量検知手段からの検知信号を演算する演算手段とを備えた衣類乾燥機である。
【発明の効果】
【０００９】
本発明の衣類乾燥機は、回転ドラム内の衣類が電極に近接しやすいため、衣類の乾き度合いおよび容量を判定でき、乾燥運転を最適に行うことができる。
【図面の簡単な説明】
【００１０】
【図１】本発明の実施の形態１における衣類乾燥機の概略構成図
【図２】同衣類乾燥機の図１のＡ−Ａ矢視図
【図３】同衣類乾燥機の電極と対地の間の静電容量の時間変化を示す概略図
【図４】同衣類乾燥機の単位時間当たりの電極検知データ数の衣類容量による変化を示す概略図
【図５】従来の衣類乾燥機の断面図
【発明を実施するための形態】
【００１１】
第１の発明は、本体内に回転自在に設けられ接地としての回転ドラムと、前記回転ドラムを駆動するドラム駆動モータと、前記回転ドラムの後方から前方へ吹き出す循環風吹出口と、衣類等の乾燥対象を出し入れする開口部を開閉自在にするドラム開閉板と、前記ドラム開閉板の下部かつ前記回転ドラム側表面に設けられた電極と、前記第２の電極に接続された静電容量検知手段と、前記静電容量検知手段からの検知信号を演算する演算手段とを備えたことにより、回転ドラム内の衣類が電極に近接しやすいため、衣類の乾き度合いおよび容量を判定でき、乾燥運転を最適に行うことができる。
【００１２】
第２の発明は、特に、第１の発明の演算手段は、回転ドラム内の衣類が電極に近接した場合、電極と接地の間に発生する静電容量を静電容量検知手段により検知することにより、前記回転ドラム内の衣類の乾き度合いを検知することにより、回転ドラム内の衣類が電極に接触しなくても、回転ドラム内の衣類の乾き度合いを判定できる。
【００１３】
第３の発明は、特に、第１の発明の演算手段は、回転ドラム内の衣類が単位時間あたりに電極に近接する回数を演算することにより、前記回転ドラム内の衣類の容量を判定することにより、回転ドラム内の衣類が電極に接触しなくても、回転ドラム内の衣類の容量を判定できる。
【００１４】
第４の発明は、特に、第３の発明の演算手段は、回転ドラム内の衣類が単位時間あたりに電極に近接する回数が多い場合、前記回転ドラム内の衣類の容量を大容量と判定することにより、回転ドラム内の衣類が電極に接触しなくても、回転ドラム内の衣類の容量が多い場合、大容量であると判定できる。
【００１５】
第５の発明は、特に、第３の発明の演算手段は、回転ドラム内の衣類が単位時間あたりに電極に近接する回数が少ない場合、前記回転ドラム内の衣類の容量を小容量と判定することにより、回転ドラム内の衣類が電極に接触しなくても、回転ドラム内の衣類の容量が少ない場合、小容量であると判定できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における衣類乾燥機の概略構成図、図２は、図１のＡ−Ａ矢視図を示すものである。
【００１８】
図１〜図２において、衣類乾燥機の本体１内にステンレスなどの金属で構成される回転
ドラム２が回転可能に設けられ、後面に取り付けたモータ３によって回転駆動される。モータ３はブラシレス直流モータで構成され、インバータ制御によって回転速度および回転方向が自在に変化させることができるようになっている。回転ドラム２は、略有底円筒状に形成され、その回転軸２ａは本体１に対して水平方向（または斜め方向）に設定されている。
【００１９】
回転ドラム２の前面側に衣類等の乾燥対象を出し入れする開口部４が設けてあり、開口部４を開閉自在なドラム開閉板５によって開閉することができる。
【００２０】
回転ドラム２の内周側面には、衣類等を撹拌するバッフル６が複数突設してあり、回転ドラム２の回転によって衣類等がバッフル６で持ち上げられ、回転ドラム２内で撹拌される。
【００２１】
本体１内の前部には、回転ドラム２の前面側に設けた円形の開口部４と対向するように内周板７が環状に配設され、開口部４の縁部に沿ってドーナツ状に形成されている。ドラム開閉板５の下部かつ回転ドラム２側の表面には、電極８が設けられている。
【００２２】
第１の電極８は、回転ドラム内の衣類が近接しやすいように、ドラム開閉板５の下部かつ回転ドラム２側の表面に設けられている。
【００２３】
演算手段１６は、本体１内の上方前部に配設されており、電極８に接続された静電容量検知手段からの検知信号を演算し、ドラム駆動モータ３および乾燥用空気の温度を調整するヒータ等の加熱手段９、回転ドラム２内に送風される乾燥用空気の送風量を調整する送風ファン等の送風手段１０を制御する。
【００２４】
以上のように構成された衣類乾燥機について、以下にその動作、作用を説明する。
【００２５】
乾燥運転の開始により、回転ドラム２がドラム駆動モータ３によって所定の回転数で回転し、回転ドラム２内に所定温度の乾燥用空気が送風される。回転ドラム２内に投入された湿った衣類は、回転ドラム２の回転動作によりバッフル６によって上方へ持ち上げられて撹拌され、乾燥用空気との接触により水分が除去されて乾燥が進行する。
【００２６】
回転ドラム２内の回転動作によって、水分を含む衣類が回転ドラム２内の下方空間へ攪拌され、電極８に近接した場合、電極８と接地としての回転ドラム２との間に静電容量が発生し、静電容量検知手段（図示せず）から演算手段１６に検知信号が入力される。
【００２７】
演算手段１６は、電極８に接続された静電容量検知手段から入力される単位時間あたりの検知信号のデータ数を演算処理することにより、回転ドラム２内の衣類の乾き度合いおよび衣類の容量を判定する。
【００２８】
演算手段１６は、演算手段１６は、電極８に接続された静電容量検知手段から入力される単位時間あたりの検知信号のデータ数に基づき、回転ドラム２内の衣類の乾き度合いおよび衣類の容量に応じて、ドラム駆動モータ３、ヒータ等の加熱手段９、送風ファン等の送風手段１０を制御する。
【００２９】
図３は、乾燥運転時間ｔに対する回転ドラム内の衣類により生じる電極と接地の間の静電容量Ｃｎを示しており、検知データＣｎが下限値Ｃ０となると、回転ドラム２内の衣類が「乾き状態」であることが検知できる。
【００３０】
図４は、回転ドラム２内の衣類容量Ｘｎに対する単位時間当たりの検知データＣｎを示
している。例えば、回転ドラム２内の衣類容量が小容量の場合、電極８が単位時間当たりに検知する検知データ数Ｃｎは少なく、衣類容量Ｘ１は小容量であると判定できる。
【００３１】
また、回転ドラム２内の衣類容量が大容量の場合、電極８が単位時間当たりに検知する検知データ数Ｃｎは多く、衣類容量Ｘ３は大容量であると判定できる。
【００３２】
すなわち、電極８に対して、回転ドラム２内の衣類が電極に近接する単位時間当たりの回数が衣類容量により異なるため、投入された衣類の容量を複数の段階において検知することができる。
【００３３】
以上のように、本発明の衣類乾燥機は、静電容量検知手段に接続された電極８がドラム開閉板５の下部かつ回転ドラム２側の表面に設けられた衣類乾燥機としたことにより、回転ドラ２ム内の衣類を磨耗させることなく、回転ドラム２内の衣類の容量を判別し、衣類の乾き度合いを判定でき、乾燥運転を最適に行うことができる。また、回転ドラム２が傾斜構成を有する場合でも、衣類が電極に近接することにより、衣類の乾き度合いを検知できる。
【産業上の利用可能性】
【００３４】
以上のように、本発明にかかる衣類乾燥機は、電極と衣類が接触することなく、回転ドラム内の衣類等の乾き度合いおよび容量をすることができ、乾燥運転を最適に行うことができるため、衣類乾燥機として有用である。
【符号の説明】
【００３５】
１  本体
２  回転ドラム（接地）
３  ドラム駆動モータ
５  ドラム開閉板
８  電極
９  加熱手段
１０  送風手段
１１  循環風吹出口
１６  演算手段
【図１】
2015000095.tif 000003
【図２】
2015000095.tif 000004
【図３】
2015000095.tif 000005
【図４】
2015000095.tif 000006
【図５】
2015000095.tif 000007